(57)【要約】【課題】簡易な操作により画質を設定する。【解決手段】表示部に画像を表示させる表示装置であって、表示部に、第１画質情報に応じた画質で第１画像を表示させるとともに、第２画質情報に応じた画質で第２画像を表示させる表示制御部と、表示部に表示された第１画像及び第２画像のうち選択された画像の画質に基づいて、第１画質情報及び第２画質情報を更新する更新部と、表示部に表示された第１画像及び第２画像のうち一方の画像の画質を、表示部の画質として決定可能な決定部と、を備え、表示制御部は、更新部が第１画質情報及び第２画質情報を更新した場合に、更新後の第１画質情報に応じた画質で第１画像を表示させるとともに、更新後の第２画質情報に応じた画質で第２画像を表示させる表示装置。【選択図】図９
2018010180.tif 000002
【特許請求の範囲】
【請求項１】
表示部に画像を表示させる表示装置であって、
前記表示部に、
第１画質情報に応じた画質で第１画像を表示させるとともに、
第２画質情報に応じた画質で第２画像を表示させる表示制御部と、
前記表示部に表示された前記第１画像及び前記第２画像のうち選択された画像の画質に基づいて、
前記第１画質情報及び前記第２画質情報を更新する更新部と、
前記表示部に表示された前記第１画像及び前記第２画像のうち一方の画像の画質を、
前記表示部の画質として決定可能な決定部と、
を備え、
前記表示制御部は、
前記更新部が前記第１画質情報及び前記第２画質情報を更新した場合に、
更新後の第１画質情報に応じた画質で前記第１画像を表示させるとともに、
更新後の第２画質情報に応じた画質で前記第２画像を表示させる、
ことを特徴とする表示装置。
【請求項２】
前記更新部は、
前記第１画質情報及び前記第２画質情報を、遺伝的アルゴリズムを用いて更新する、
ことを特徴とする、請求項１に記載の表示装置。
【請求項３】
前記第１画質情報及び前記第２画質情報を含む複数の画質情報を記憶する記憶部を備え、
前記更新部は、
前記表示部に表示された前記第１画像及び前記第２画像のうち一方の画像が選択された場合に、
前記複数の画質情報の各々と前記選択された画像に対応する画質情報との類似度を、
前記複数の画質情報の各々について算出する算出部と、
前記類似度に基づいて、
前記複数の画質情報の中から、２以上の画質情報を選択し、
当該２以上の画質情報に基づいて、
前記更新後の第１画質情報と前記更新後の第２画質情報とを生成する生成部と、
を備える、
ことを特徴とする、請求項１または２に記載の表示装置。
【請求項４】
前記複数の画質情報の各々は、
複数のデータ要素を含み、
前記生成部は、
前記２以上の画質情報のうち、
一の画質情報に含まれる複数のデータ要素の一部と、
他の画質情報に含まれる複数のデータ要素の一部と、を入れ替えることで、
前記複数の画質情報を更新する第１更新部と、
前記第１更新部により更新された前記複数の画質情報のうち、
一部または全部の画質情報の各々に含まれるデータ要素の値を変更することで、
前記複数の画質情報を更新する第２更新部と、
前記第２更新部により更新された前記複数の画質情報のうち、
前記類似度が最も高い画質情報を、前記更新後の第１画質情報として採用する採用部と、
を備える、
ことを特徴とする、請求項３に記載の表示装置。
【請求項５】
前記採用部は、
前記第２更新部により更新された前記複数の画質情報のうち、
前記類似度が所定の値に最も近い画質情報を、前記更新後の第２画質情報として採用する、
ことを特徴とする、請求項４に記載の表示装置。
【請求項６】
前記更新部は、
前記選択された画像に対応する画質情報を、前記更新後の第１画質情報とする、
ことを特徴とする、請求項１または２に記載の表示装置。
【請求項７】
前記第１画質情報は、複数のデータ要素を含み、
前記第２画質情報は、複数のデータ要素を含む、
ことを特徴とする、請求項１乃至６のうち何れか１項に記載の表示装置。
【請求項８】
表示部に画像を表示させる表示装置の制御方法であって、
前記表示部に第１画質情報に応じた画質で第１画像を表示させるとともに、
前記表示部に第２画質情報に応じた画質で第２画像を表示させ、
前記表示部に表示された前記第１画像及び前記第２画像のうち選択された画像の画質に基づいて、
前記第１画質情報及び前記第２画質情報を更新し、
前記第１画質情報及び前記第２画質情報が更新された場合に、
前記表示部に更新後の第１画質情報に応じた画質で前記第１画像を表示させるとともに、
前記表示部に更新後の第２画質情報に応じた画質で前記第２画像を表示させ、
前記表示部に表示された前記第１画像及び前記第２画像のうち一方の画像の画質を、
前記表示部の画質として決定する、
ことを特徴とする、表示装置の制御方法。
【発明の詳細な説明】
【技術分野】
【０００１】
本発明は、表示装置、及び、表示装置の制御方法に関する。
【背景技術】
【０００２】
プロジェクター等の表示装置が表示する画像の画質の調整に係る技術が各種提案されている（例えば、特許文献１）。
【先行技術文献】
【特許文献】
【０００３】
【特許文献１】特開２０１３−１３８３９９号公報
【発明の概要】
【発明が解決しようとする課題】
【０００４】
ところで、表示装置が表示する画像の画質は、例えば、明るさ、コントラスト、色の濃さ等、複数種類の特徴量により規定される。このため、表示装置の利用者は、画質の調整をする場合、画質を規定する複数種類の特徴量を表すための複数のパラメーターの各々について個別に調整することが必要となり、煩雑であった。
【０００５】
本発明は、上述した事情に鑑みてなされたものであり、簡易な操作により画質を設定することを可能とする技術の提供を、解決課題の一つとする。
【課題を解決するための手段】
【０００６】
以上の課題を解決するため、本発明に係る表示装置は、表示部に画像を表示させる表示装置であって、前記表示部に、第１画質情報に応じた画質で第１画像を表示させるとともに、第２画質情報に応じた画質で第２画像を表示させる表示制御部と、前記表示部に表示された前記第１画像及び前記第２画像のうち選択された画像の画質に基づいて、前記第１画質情報及び前記第２画質情報を更新する更新部と、前記表示部に表示された前記第１画像及び前記第２画像のうち一方の画像の画質を、前記表示部の画質として決定可能な決定部と、を備え、前記表示制御部は、前記更新部が前記第１画質情報及び前記第２画質情報を更新した場合に、更新後の第１画質情報に応じた画質で前記第１画像を表示させるとともに、更新後の第２画質情報に応じた画質で前記第２画像を表示させる、ことを特徴とする。
【０００７】
本発明では、第１画像または第２画像を選択することで、第１画像及び第２画像を更新し、第１画像または第２画像を指定することで、表示部の画質を決定することができるため、簡易な操作により画質を決定することができる。
なお、本発明に係る表示装置は、画像を表示する表示部と、前記表示部を制御する制御部と、を備え、前記制御部は、前記表示部に第１画質情報に応じた画質で第１画像を表示させるとともに、前記表示部に第２画質情報に応じた画質で第２画像を表示させ、前記表示部に表示された前記第１画像及び前記第２画像のうち選択された画像の画質に基づいて、前記第１画質情報及び前記第２画質情報を更新し、前記第１画質情報及び前記第２画質情報が更新された場合に、前記表示部に更新後の第１画質情報に応じた画質で前記第１画像を表示させるとともに、前記表示部に更新後の第２画質情報に応じた画質で前記第２画像を表示させ、前記表示部に表示された前記第１画像及び前記第２画像のうち一方の画像の画質を、前記表示部の画質として決定可能である、ことを特徴としてもよい。
【０００８】
また、上述した表示装置において、前記更新部は、前記第１画質情報及び前記第２画質情報を、遺伝的アルゴリズムを用いて更新する、ことを特徴とすることが好ましい。
【０００９】
この態様によれば、遺伝的アルゴリズムにより第１画質情報及び第２画質情報を更新するため、表示部に表示される可能性のある複数の画面の画質を規定する複数の画質情報を予め準備しておく場合と比較して、画質情報に係るデータ量を削減することが可能になる。
【００１０】
また、上述した表示装置は、前記第１画質情報及び前記第２画質情報を含む複数の画質情報を記憶する記憶部を備え、前記更新部は、前記表示部に表示された前記第１画像及び前記第２画像のうち一方の画像が選択された場合に、前記複数の画質情報の各々と前記選択された画像に対応する画質情報との類似度を、前記複数の画質情報の各々について算出する算出部と、前記類似度に基づいて、前記複数の画質情報の中から、２以上の画質情報を選択し、当該２以上の画質情報に基づいて、前記更新後の第１画質情報と前記更新後の第２画質情報とを生成する生成部と、を備える、ことを特徴とすることが好ましい。
【００１１】
この態様によれば、選択された画像に対応する画質情報との類似度に基づいて、第１画質情報及び第２画質情報を更新するため、利用者の嗜好に適合しない第１画面及び第２画面が表示される可能性を低減することができる。
【００１２】
また、上述した表示装置において、前記複数の画質情報の各々は、複数のデータ要素を含み、前記生成部は、前記２以上の画質情報のうち、一の画質情報に含まれる複数のデータ要素の一部と、他の画質情報に含まれる複数のデータ要素の一部と、を入れ替えることで、前記複数の画質情報を更新する第１更新部と、前記第１更新部により更新された前記複数の画質情報のうち、一部または全部の画質情報の各々に含まれるデータ要素の値を変更することで、前記複数の画質情報を更新する第２更新部と、前記第２更新部により更新された前記複数の画質情報のうち、前記類似度が最も高い画質情報を、前記更新後の第１画質情報として採用する採用部と、を備える、ことを特徴とすることが好ましい。
【００１３】
この態様によれば、画質情報に含まれるデータ要素の入れ替え及び交換を行うため、利用者の嗜好に適合しない第１画面及び第２画面の表示が継続されることを防止できる。
【００１４】
また、上述した表示装置において、前記採用部は、前記第２更新部により更新された前記複数の画質情報のうち、前記類似度が所定の値に最も近い画質情報を、前記更新後の第２画質情報として採用する、ことを特徴とすることが好ましい。
【００１５】
この態様によれば、利用者の嗜好に近い画質を有する第１画面と、利用者の嗜好とは異なる画質を有する第２画面と、を表示することができる。このため、利用者の嗜好には近いが利用者の嗜好とは異なる画質を有する第１画面及び第２画面の表示が継続される可能性を低減することができる。
【００１６】
また、上述した表示装置において、前記更新部は、前記選択された画像に対応する画質情報を、前記更新後の第１画質情報とする、ことを特徴とすることが好ましい。
【００１７】
この態様によれば、選択された画像を、再度表示するため、第１画像及び第２画像の双方が利用者の嗜好とは適合しない画質の画像である可能性を低減することができる。
【００１８】
また、上述した表示装置において、前記第１画質情報は、複数のデータ要素を含み、前記第２画質情報は、複数のデータ要素を含む、ことを特徴としてもよい。
【００１９】
この態様によれば、第１画像または第２画像を選択することで、複数のデータ要素を選択できるため、複数のデータ要素を個別に選択する場合と比較して、操作を簡易なものとすることが可能となる。
【００２０】
また、本発明に係る表示装置の制御方法は、表示部に画像を表示させる表示装置の制御方法であって、前記表示部に第１画質情報に応じた画質で第１画像を表示させるとともに、前記表示部に第２画質情報に応じた画質で第２画像を表示させ、前記表示部に表示された前記第１画像及び前記第２画像のうち選択された画像の画質に基づいて、前記第１画質情報及び前記第２画質情報を更新し、前記第１画質情報及び前記第２画質情報が更新された場合に、前記表示部に更新後の第１画質情報に応じた画質で前記第１画像を表示させるとともに、前記表示部に更新後の第２画質情報に応じた画質で前記第２画像を表示させ、前記表示部に表示された前記第１画像及び前記第２画像のうち一方の画像の画質を、前記表示部の画質として決定する、ことを特徴とする。
【００２１】
本発明では、第１画像または第２画像を選択することで、第１画像及び第２画像を更新し、第１画像または第２画像を指定することで、表示部の画質を決定することができるため、簡易な操作により画質を決定することができる。
【図面の簡単な説明】
【００２２】
【図１】本発明の実施形態に係る表示システムＳYSの一例を示す説明図である。
【図２】画像Ｉmgの一例を説明するための説明図である。
【図３】画像Ｉmgの一例を説明するための説明図である。
【図４】画像Ｉmgの一例を説明するための説明図である。
【図５】画像Ｉmgの一例を説明するための説明図である。
【図６】プロジェクター１００の構成の一例を示すブロック図である。
【図７】画質情報Ｇのデータ形式の一例を示すブロック図である。
【図８】画質情報更新部３の構成の一例を示すブロック図である。
【図９】プロジェクター１００の動作の一例を示すフローチャートである。
【図１０】類似度Ｆを説明するための説明図である。
【図１１】ルーレット選択処理を説明するための説明図である。
【図１２】交叉処理を説明するための説明図である。
【図１３】交叉処理を説明するための説明図である。
【図１４】突然変異処理を説明するための説明図である。
【発明を実施するための形態】
【００２３】
＜Ａ．実施形態＞
以下、図面を参考にしつつ本発明に係る実施の形態を説明する。なお、図面において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２４】
＜１．表示システムの概要＞
以下、本実施形態に係る表示システムＳYSの概要を説明する。
【００２５】
図１は、本実施形態に係る表示システムＳYSの一例を示す説明図である。
図１に示すように、表示システムＳYSは、表示装置の一例であるプロジェクター１００と、パーソナルコンピューターやスマートフォン等の外部機器２００と、を備える。プロジェクター１００は、テーブル、壁、または、スクリーン等の投射面３００に対して画像Ｉmgを投射することができる。
【００２６】
また、本実施形態において、プロジェクター１００は、画像Ｉmgを表示するための動作モードである画像表示モードと、画像Ｉmgの画質を調整するための動作モードである画質調整モードと、により動作が可能である。プロジェクター１００の利用者は、プロジェクター１００の操作部１１を操作することで、プロジェクター１００の動作モードを選択することができる。
【００２７】
プロジェクター１００は、画像表示モードにおいて、外部機器２００から供給される表示データＤatに基づく画像Ｉmgを、投射面３００に投射する。
一方、プロジェクター１００は、画質調整モードにおいて、図１に示すように、左側画像ＩmgL（「第１画像」の一例）と右側画像ＩmgR（「第２画像」の一例）とを含む画像Ｉmgを、投射面３００に投射する。なお、以下では、左側画像ＩmgL及び右側画像ＩmgRを、部分画像ＩmgPと総称する。
【００２８】
＜２．画質調整モードの概要＞
プロジェクター１００の利用者は、プロジェクター１００が画質調整モードで動作する場合に、プロジェクター１００の操作部１１を操作して、画像表示モードにおいて表示される画像Ｉmgの画質を調整することができる。なお、本実施形態では、画質調整モードにおいて調整される画像Ｉmgの画質として、「画像Ｉmgの明るさ」、「コントラスト比」、及び、「色の濃さ」の３つの特徴量が含まれる場合を、一例として想定する。
【００２９】
具体的には、プロジェクター１００の利用者は、プロジェクター１００が画質調整モードで動作する場合に、操作部１１を操作して、投射面３００に投射される左側画像ＩmgL及び右側画像ＩmgRのうち一方の部分画像ＩmgPを指定することで、当該指定された部分画像ＩmgPの画質を、画像表示モードにおいて投射される画像Ｉmgの画質として採用することができる。なお、以下では、左側画像ＩmgL及び右側画像ＩmgRの中から指定された部分画像ＩmgPを、「指定画像ＩmgD」と称する。
【００３０】
また、プロジェクター１００の利用者は、プロジェクター１００が画質調整モードで動作する場合であって、投射面３００に投射されている左側画像ＩmgL及び右側画像ＩmgRのいずれの画質も、画像表示モードにおいて投射される画像Ｉmgの画質として採用しない場合には、操作部１１を操作して、投射面３００に投射される左側画像ＩmgL及び右側画像ＩmgRのうち、一方の部分画像ＩmgPを選択することで、当該選択の結果に基づいて、左側画像ＩmgL及び右側画像ＩmgRの画質を更新させることができる。すなわち、操作部１１は、プロジェクター１００の利用者が、左側画像ＩmgL及び右側画像ＩmgRのうち一方の部分画像ＩmgPを選択する操作を行うためのユーザーインターフェースである「選択部」として機能する。なお、以下では、左側画像ＩmgL及び右側画像ＩmgRの中から選択された部分画像ＩmgPを「選択画像ＩmgC」と称する。
プロジェクター１００は、プロジェクター１００の利用者による選択の結果に基づいて、左側画像ＩmgL及び右側画像ＩmgRの画質を更新する場合、更新後の画質に応じた左側画像ＩmgL及び更新後の画質に応じた右側画像ＩmgRを、投射面３００に対して投射する。そして、プロジェクター１００の利用者は、左側画像ＩmgL及び右側画像ＩmgRの更新を繰り返す中で、当該利用者の嗜好に合った部分画像ＩmgPが表示される場合に、当該部分画像ＩmgPを、画像表示モードにおいて投射される画像Ｉmgの画像として指定することができる。
【００３１】
なお、以下では、左側画像ＩmgL及び右側画像ＩmgRの更新が繰り返される場合における説明の便宜のために、ｎ回目に表示される画像Ｉmgを、画像Ｉmg(n)と表現し、画像Ｉmg(n)に含まれる左側画像ＩmgL及び右側画像ＩmgRを、それぞれ、左側画像ＩmgL(n)及び右側画像ＩmgR(n)（または、部分画像ＩmgP(n)）と表現する（ｎは、１≦ｎ≦Ｎを満たす自然数。Ｎは、１≦Ｎを満たす自然数）。
【００３２】
図２〜図５を参照しつつ、画質調整モードにおいて行われる、画像Ｉmgの画質の調整に係る操作の具体的なイメージについて説明する。なお、図２〜図５では、画質調整モードにおいて、左側画像ＩmgL及び右側画像ＩmgRを含む画像Ｉmgが２回更新され、その後、３回目に表示される画像Ｉmg(3)に含まれる右側画像ＩmgR(3)の示す画質を、画像表示モードにおける画像Ｉmgの画質として指定する場合を、一例として想定する。
【００３３】
図２に例示するように、プロジェクター１００は、画質調整モードによる動作が開始されると、左側画像ＩmgL(1)及び右側画像ＩmgR(1)を含む画像Ｉmg(1)を表示する。なお、本実施形態では、画質調整モードにおいて表示される画像Ｉmgが、左側画像ＩmgL及び右側画像ＩmgRの他に、左側画像ＩmgLを選択するための選択ボタン画像ＢT1Lと、右側画像ＩmgRを選択するための選択ボタン画像ＢT1Rと、左側画像ＩmgLの画質を画像表示モードにおける画質として指定（以下、「左側画像ＩmgLを指定」と称する）するための指定ボタン画像ＢT2Lと、右側画像ＩmgRの画質を画像表示モードにおける画質として指定（以下、「右側画像ＩmgRを指定」と称する）するための指定ボタン画像ＢT2Rと、を含む場合を想定する。
なお、本実施形態において、左側画像ＩmgL及び右側画像ＩmgRのうち、一方の部分画像ＩmgPを選択するためのユーザーインターフェースは画像（選択ボタン画像ＢT1L、選択ボタン画像ＢT1R）であるが、物理的なボタンであってもよい。この場合、これらの物理的なボタンは、操作部１１のうち「選択部」として機能することになる。同様に、左側画像ＩmgL及び右側画像ＩmgRのうち一方の部分画像ＩmgPを指定するためのユーザーインターフェースは画像（指定ボタン画像ＢT2L、指定ボタン画像ＢT2R）であるが、物理的なボタンであってもよい。この場合、これらの物理的なボタンは、操作部１１として機能することになる。
【００３４】
図２は、プロジェクター１００の利用者が、左側画像ＩmgL(1)及び右側画像ＩmgR(1)のいずれの画質も、当該利用者の嗜好に合わないものの、左側画像ＩmgL(1)の画質の方が右側画像ＩmgR(1)の画質に比べて、当該利用者の嗜好により近い画質であるために、選択ボタン画像ＢT1Lにより左側画像ＩmgL(1)を選択する場合を例示している。プロジェクター１００は、プロジェクター１００の利用者が左側画像ＩmgL(1)を選択すると、当該選択の結果に基づいて、左側画像ＩmgL(2)及び右側画像ＩmgR(2)を含む画像Ｉmg(2)を表示する。
図３は、プロジェクター１００の利用者が、左側画像ＩmgL(2)及び右側画像ＩmgR(2)のいずれの画質も、当該利用者の嗜好に合わないものの、右側画像ＩmgR(2)の画質の方が左側画像ＩmgL(2)の画質に比べて、当該利用者の嗜好により近い画質であるために、選択ボタン画像ＢT1Rにより右側画像ＩmgR(2)を選択する場合を例示している。プロジェクター１００は、プロジェクター１００の利用者が右側画像ＩmgR(2)を選択すると、当該選択の結果に基づいて、左側画像ＩmgL(3)及び右側画像ＩmgR(3)を含む画像Ｉmg(3)を表示する。
図４は、プロジェクター１００の利用者が、右側画像ＩmgR(3)の画質が当該利用者の嗜好に適合するために、指定ボタン画像ＢT2Rにより、右側画像ＩmgR(3)を指定することで、当該右側画像ＩmgR(3)の画質を、画像表示モードにおける画像Ｉmgの画質として採用する場合を例示している。
【００３５】
図２〜図４に例示する操作の結果、プロジェクター１００は、図５に示すように、画像表示モードにおいて、表示データＤatの示す画像（例えば、図５に示す例では「りんご」の画像）を、右側画像ＩmgR(3)の画質で表示する。
【００３６】
＜３．プロジェクター１００の構成＞
次に、プロジェクター１００の構成について説明する。
図６は、本実施形態に係るプロジェクター１００の構成の一例を示すブロック図である。
【００３７】
図６に示すように、プロジェクター１００は、プロジェクター１００の利用者による操作を受け付けるための操作部１１に加え、プロジェクター１００の各部を制御する制御部１と、各種情報を記憶する記憶部１０と、画像Ｉmgを投射する画像投射部１２（「表示部」の一例）と、を備える。
【００３８】
操作部１１は、操作部１１における操作の結果を示す操作データＳを出力する。具体的には、操作部１１は、選択ボタン画像ＢT1Lにより左側画像ＩmgLが選択されたこと、または、選択ボタン画像ＢT1Rにより右側画像ＩmgRが選択されたことを示す選択データＳCと、指定ボタン画像ＢT2Lにより左側画像ＩmgLが指定されたこと、または、指定ボタン画像ＢT2Rにより右側画像ＩmgRが指定されたことを示す指定データＳDとのうち、何れか一方を、操作データＳとして出力する。すなわち、操作データＳは、選択データＳC及び指定データＳDの総称である。
【００３９】
記憶部１０は、例えば、ＲＡＭ（Random Access Memory）、及び、ＲＯＭ（Read Only Memory）等を含んで構成され、プロジェクター１００の制御プログラムと、画像Ｉmgに係る情報と、を含む各種情報を記憶する。
【００４０】
制御部１は、例えば、ＣＰＵ（Central Processing Unit）を含んで構成され、当該ＣＰＵが、記憶部１０に記憶された制御プログラムを実行し、制御プログラムに従って動作することで、各種機能を実現する。具体的には、図６に示すように、制御部１のＣＰＵは、制御プログラムに従って動作することで、画質制御部２及び表示制御部５としての機能を実現する。
【００４１】
画質制御部２は、選択データＳCに基づいて、左側画像ＩmgLの画質を規定する左画質情報ＱL（「第１画質情報」の一例）と、右側画像ＩmgRの画質を規定する右画質情報ＱR（「第２画質情報」の一例）と、を更新する画質情報更新部３（「更新部」の一例）を備える。
なお、以下では、左画質情報ＱL及び右画質情報ＱRを、部分画質情報ＱPと総称する。つまり、部分画質情報ＱPは、部分画像ＩmgPの画質を規定する情報である。
また、以下では、選択画像ＩmgCの画質を規定する情報を、選択画質情報ＱCと称する。つまり、選択画質情報ＱCは、左側画像ＩmgLの画質を規定する左画質情報ＱL、及び、右側画像ＩmgRの画質を規定する右画質情報ＱRの、２つの部分画質情報ＱPのうち、選択画像ＩmgCとして選択された部分画像ＩmgPに対応する部分画質情報ＱPである。
【００４２】
画質制御部２は、指定データＳDが供給される場合に、画像投射部１２が表示している左側画像ＩmgL及び右側画像ＩmgRのうち、指定データＳDに対応する部分画像ＩmgP、すなわち、指定画像ＩmgDの画質を、画像表示モードにおいて表示される画像Ｉmgの画質として決定する画質決定部４（「決定部」の一例）を備える。
なお、以下では、指定画像ＩmgDの画質を規定する情報を、指定画質情報ＱDと称する。つまり、指定画質情報ＱDは、左側画像ＩmgLの画質を規定する左画質情報ＱL、及び、右側画像ＩmgRの画質を規定する右画質情報ＱRの、２つの部分画質情報ＱPのうち、指定画像ＩmgDとして指定された部分画像ＩmgPに対応する部分画質情報ＱPである。プロジェクター１００は、画像表示モードにおいて、指定画質情報ＱDにより規定される画質により、画像Ｉmgを表示する。
【００４３】
以下では、部分画質情報ＱP、選択画質情報ＱC、及び、指定画質情報ＱDを、画質情報Ｑと総称する。また、以下では、画質調整モードにおいて、画像Ｉmgが繰り返し表示される場合に、ｎ回目に表示される部分画像ＩmgP(n)の画質を規定する部分画質情報ＱPを部分画質情報ＱP(n)と称し、２つの部分画像ＩmgP(n)の中から選択された選択画像ＩmgC(n)の画質を規定する選択画質情報ＱCを選択画質情報ＱC(n)と表現し、２つの部分画像ＩmgP(n)の中から指定された指定画像ＩmgD(n)の画質を規定する指定画質情報ＱDを指定画質情報ＱD(n)と表現する。
【００４４】
表示制御部５は、画像投射部１２が表示する画像Ｉmgと当該画像Ｉmgの画質とを示す画像情報Ｊを画像投射部１２に供給することで、画像投射部１２を制御する。
より具体的には、表示制御部５は、プロジェクター１００が画像表示モードで動作する場合、表示データＤatの示す画像Ｉmgを、指定画質情報ＱDの規定する画質により表示することを指定する画像情報Ｊを、画像投射部１２に供給する。一方、表示制御部５は、プロジェクター１００が画質調整モードで動作する場合、左側画像ＩmgLを、左画質情報ＱLの規定する画質により表示し、且つ、右側画像ＩmgRを、右画質情報ＱRの規定する画質により表示することを指定する画像情報Ｊを、画像投射部１２に供給する。
【００４５】
画像投射部１２は、例えば、光を出射する光源（図示省略）と、光源から出射された光を透過する複数の画素を有する透過型の液晶パネル（図示省略）と、を備える。そして、画像投射部１２は、液晶パネルの各画素が、光源から出射された光を、画像情報Ｊに応じた透過率で透過させることで、投射面３００に対して画像Ｉmgを投射する。
【００４６】
＜４．画質情報更新部３の概要＞
次に、画質情報更新部３の概要を説明する。
【００４７】
本実施形態において、画質情報更新部３は、遺伝的アルゴリズムを用いて、２つの部分画質情報ＱP(n)、すなわち、左画質情報ＱL(n)及び右画質情報ＱR(n)を更新することで、更新された２つの部分画質情報ＱP(n+1)、すなわち、左画質情報ＱL(n+1)及び右画質情報ＱR(n+1)を生成する。
具体的には、画質情報更新部３は、遺伝的アルゴリズムに適した所定のデータ形式を有するＫ個の画質情報Ｇを、遺伝的アルゴリズムにより更新することで、Ｍ個の画質情報ＧWを生成し、当該Ｍ個の画質情報ＧWのうち、所定の条件を満たす２つの画質情報ＧWを、更新後の左画質情報ＱL(n+1)及び右画質情報ＱR(n+1)として採用する（Ｋは３以上の自然数。Ｍは「Ｍ＜Ｋ」を満たす２以上の自然数）。本実施形態では、Ｋ個の画質情報Ｇには、選択画質情報ＱC(n)を所定のデータ形式で表した情報である選択画質情報ＧCが含まれる。
【００４８】
なお、Ｋ個の画質情報Ｇを互いに区別するために、Ｋ個の画質情報Ｇを、画質情報Ｇ1〜ＧKと表現する場合がある。つまり、Ｋ個の画質情報Ｇのうち、ｋ番目の画質情報Ｇを、画質情報Ｇkと表現する場合がある（ｋは１≦ｋ≦Ｋを満たす自然数）。同様に、Ｍ個の画質情報ＧWを互いに区別するために、Ｍ個の画質情報ＧWを、画質情報ＧW1〜ＧWMと表現する場合がある。つまり、Ｍ個の画質情報ＧWのうち、ｍ番目の画質情報ＧWを、画質情報ＧWmと表現する場合がある（ｍは１≦ｍ≦Ｍを満たす自然数）。また、Ｋ個の画質情報Ｇ1〜ＧKを、画質情報群Ｚと称する場合がある。
【００４９】
図７は、本実施形態に係る画質情報Ｇのデータ形式を説明するための説明図である。図７に示すように、本実施形態に係る画質情報Ｇは、複数のデータ要素ｄ[1][1]〜ｄ[X][Y]からなる（Ｘ及びＹは２以上の自然数）。このうち、各データ要素ｄ[x][y]は、「０」または「１」の何れかの値を示す（ｘは１≦ｘ≦Ｘを満たす自然数。Ｙは１≦ｙ≦Ｙを満たす自然数）。なお、データ要素ｄ[x][y]が、例えば、ｋ番目の画質情報Ｇkのデータ要素であることを表現する場合には、添え字ｋを付して、データ要素ｄk[x][y]と表現する場合がある。
【００５０】
値Ｘは、画像Ｉmgの画質を表す特徴量の種類を示す。本実施形態では、上述のとおり、画像Ｉmgの画質が、３種類の特徴量により規定される場合を想定している。このため、本実施形態では、Ｘが「３」である場合を想定する。より具体的には、本実施形態では、「Ｘ＝１」に対応するデータ要素ｄ[1][1]〜ｄ[1][Y]が、画像Ｉmgの特徴量のうち「明るさ」を示し、「Ｘ＝２」に対応するデータ要素ｄ[2][1]〜ｄ[2][Y]が、画像Ｉmgの特徴量のうち「コントラスト」を示し、「Ｘ＝３」に対応するデータ要素ｄ[3][1]〜ｄ[3][Y]が、画像Ｉmgの特徴量のうち「色の濃さ」を示す場合を想定する。以下では、記載の都合上、データ要素ｄ[1][1]〜ｄ[1][Y]を、データ列ｄ[1]と称し、データ要素ｄ[2][1]〜ｄ[2][Y]を、データ列ｄ[2]と称し、データ要素ｄ[3][1]〜ｄ[3][Y]を、データ列ｄ[3]と称する。
【００５１】
また、本実施形態では、一例として、Ｙが「６」の場合、すなわち、各データ列ｄ[x]が、６個のデータ要素ｄ[x][1]〜ｄ[x][6]からなり、当該データ列ｄ[x]が、各特長量を６４ビットで表す場合を想定する。例えば、図７に示す例では、画質情報Ｇkが、６４段階のうち「５６」の明るさを規定するデータ列ｄ[1]と、６４段階のうち「６４」のコントラスト比を規定するデータ列ｄ[2]と、６４段階のうち「１」の濃さを規定するデータ列ｄ[3]と、により画質を規定する場合を例示している。
【００５２】
図８は、本実施形態に係る画質情報更新部３の構成の一例を示すブロック図である。図８に示すように、画質情報更新部３は、類似度算出部６（「算出部」の一例）と、画質情報生成部７（「生成部」の一例）とを備える。
【００５３】
このうち、類似度算出部６は、選択データＳCと画質情報群Ｚ（画質情報Ｇ1〜ＧK）とに基づいて、類似度Ｆ1〜ＦKを算出する。
【００５４】
また、画質情報生成部７は、類似度Ｆ1〜ＦKと画質情報群Ｚとに基づいて、更新後の左画質情報ＱL(n+1)及び右画質情報ＱR(n+1)を生成する。
具体的には、画質情報生成部７は、類似度Ｆ1〜ＦKに基づいて、画質情報群Ｚに含まれるＫ個の画質情報Ｇに対してルーレット選択処理を施し、画質情報群Ｚの中から、Ｍ個の画質情報ＧUを含む画質情報群ＺUを抽出するルーレット選択部７１と、Ｍ個の画質情報ＧUに対して交叉処理を施し、Ｍ個の画質情報ＧVを含む画質情報群ＺVを生成する交叉処理部７２（「第１更新部」の一例）と、Ｍ個の画質情報ＧVに対して突然変異処理を施し、Ｍ個の画質情報ＧWを含む画質情報群ＺWを生成する変異処理部７３（「第２更新部」の一例）と、Ｍ個の画質情報ＧWのうち２個の画質情報ＧWを、更新後の左画質情報ＱL(n+1)及び右画質情報ＱR(n+1)として採用する採用部７４と、を備える。
【００５５】
＜５．画質調整モードにおけるプロジェクター１００の動作＞
以下、画質調整モードにおけるプロジェクター１００の動作を説明する。
【００５６】
図９は、画質調整モードにおけるプロジェクター１００の動作の一例を示すフローチャートである。当該フローチャートは、プロジェクター１００の利用者が、操作部１１により、画質調整モードを選択した場合に開始される。
【００５７】
画質調整モードが開始されると、制御部１のＣＰＵは、まず、画質調整モードの開始後における画像Ｉmgの表示回数を示す変数ｎに「１」を設定する（Ｓ１１）。
【００５８】
次に、制御部１のＣＰＵは、左画質情報ＱL(n)及び右画質情報ＱR(n)の２つの部分画質情報ＱP(n)に基づいて画像情報Ｊを生成し、画像情報Ｊを画像投射部１２に供給することで、画像投射部１２が、左側画像ＩmgL(n)及び右側画像ＩmgR(n)を含む画像Ｉmg(n)を投射するように、画像投射部１２を制御する（Ｓ１２）。なお、本実施形態では、左画質情報ＱL(1)及び右画質情報ＱR(1)は、予め定められた初期値が設定されていることとする。
【００５９】
その後、制御部１のＣＰＵは、プロジェクター１００の利用者が、左側画像ＩmgL(n)及び右側画像ＩmgR(n)のうち一方を「選択」または「指定」し、操作部１１から操作データＳが供給されると、当該操作データＳに、選択データＳCが含まれるか否かを判定する（Ｓ１３）。
【００６０】
そして、制御部１のＣＰＵは、ステップＳ１３の判定結果が肯定である場合、選択データＳCに基づいて、記憶部１０に記憶されている画質情報群Ｚに含まれる画質情報Ｇ1〜ＧKの中から、利用者が選択した選択画像ＩmgC(n)の画質を示す選択画質情報ＱC(n)に対応する選択画質情報ＧCを特定し、選択画質情報ＧCと、画質情報Ｇ1〜ＧKの各々との類似度Ｆ1〜ＦKを算出する（Ｓ１４）。
【００６１】
図１０は、ステップＳ１４における類似度Ｆkの算出を説明するための説明図である。なお、図１０、及び、後述する図１１〜図１４では、Ｋ＝６の場合、つまり、画質情報群Ｚが６個の画質情報Ｇ1〜Ｇ6を含む場合を想定する。また、図１０〜図１４では、画質情報Ｇ1が、選択画質情報ＱC(n)に対応する選択画質情報ＧCである場合を想定している。
【００６２】
制御部１のＣＰＵは、ステップＳ１４において、選択画質情報ＧCに含まれる複数のデータ要素ｄ[1][1]〜ｄ[X][Y]と、画質情報Ｇkに含まれる複数のデータ要素ｄk[1][1]〜ｄk[X][Y]と、の値の一致率を、類似度Ｆkとして算出する。
例えば、図１０において、画質情報Ｇ2の有する１８個のデータ要素ｄ2[1][1]〜ｄ2[3][6]と、選択画質情報ＧCである画質情報Ｇ1の有する１８個のデータ要素ｄ1[1][1]〜ｄ1[3][6]と、を比較した場合、値が一致するデータ要素ｄ[x][y]は６個である。このため、画質情報Ｇ2と画質情報Ｇ1との類似度Ｆ2は、「６」を「１８」で除算した値「０．３３」となる。
なお、図１０では、画質情報Ｇkの有する複数のデータ要素ｄk[1][1]〜ｄk[X][Y]のうち、選択画質情報ＧCのデータ要素ｄ[x][y]と値が一致するデータ要素ｄk[x][y]を白色で表し、選択画質情報ＧCのデータ要素ｄ[x][y]と値が一致しないデータ要素ｄk[x][y]にはハッチングを付して表示している。
【００６３】
なお、本実施形態における類似度Ｆkは、遺伝的アルゴリズムにおける「適応度」に相当する概念である。
また、本実施形態では、類似度Ｆkを、画質情報Ｇkのデータ要素ｄk[x][y]の値と、選択画質情報ＧCのデータ要素ｄ[x][y]の値との一致率に基づいて定めているが、本発明はこのような態様に限定されるものではなく、類似度Ｆkは、画質情報Ｇkと選択画質情報ＧCとの類似の程度を表す値であればどのような値であってもよい。例えば、類似度Ｆkを、画質情報Ｇkを１０進数で表現した値と選択画質情報ＧCを１０進数で表現した値との差分値に基づいて定めてもよい。
【００６４】
図９に示すように、制御部１のＣＰＵは、ステップＳ１４において算出した類似度Ｆ1〜ＦKに基づいて、Ｋ個の画質情報Ｇ1〜ＧK（画質情報群Ｚ）の中から、Ｍ個の画質情報ＧU1〜ＧUM（画質情報群ＺU）を選択するルーレット選択処理を実行する（Ｓ１５）。
【００６５】
図１１は、ステップＳ１５におけるルーレット選択処理を説明するための説明図である。制御部１のＣＰＵは、ルーレット選択処理において、類似度Ｆkが高くなるに従って画質情報Ｇkが選択される可能性が高くなるように、換言すれば、類似度Ｆkが低くなるに従って画質情報Ｇkが淘汰される可能性が高くなるように、Ｋ個の画質情報Ｇ1〜ＧKの中から、Ｍ個の画質情報ＧUを確率的に選択する。
図１１では、ルーレット選択処理において、６個の画質情報Ｇ1〜Ｇ6のうち、４個の画質情報Ｇ1、Ｇ3、Ｇ4、Ｇ6が、画質情報群ＺUを構成する４個の画質情報ＧU1〜ＧU4として選択される場合、すなわち、Ｍ＝４の場合を例示的に示している。なお、以下では、画質情報ＧUの有する各データ要素を、データ要素ｄU[x][y]と表現する。
【００６６】
図９に示すように、制御部１のＣＰＵは、ステップＳ１５において抽出された画質情報群ＺUに含まれるＭ個の画質情報ＧU1〜ＧUMのうち、一の画質情報ＧUが有する複数のデータ要素ｄU[1][1]〜ｄU[X][Y]の一部と、他の画質情報ＧUが有する複数のデータ要素ｄU[1][1]〜ｄU[X][Y]の一部と、を交換することで、Ｍ個の画質情報ＧV1〜ＧVM（画質情報群ＺV）を生成する交叉処理を実行する（Ｓ１６）。なお、以下では、画質情報ＧVの有する各データ要素を、データ要素ｄV[x][y]と表現する。
【００６７】
図１２及び図１３は、ステップＳ１６における交叉処理を説明するための説明図である。
制御部１のＣＰＵは、交叉処理において、まず、Ｍ個の画質情報ＧU1〜ＧUMの中から、１または複数の画質情報ＧUの組を、確率的に選択する。例えば、図１２及び図１３では、４個の画質情報ＧU1〜ＧU4の中から、画質情報ＧU3及びＧU4からなる１つの組が選択される場合を例示している。
【００６８】
次に、制御部１のＣＰＵは、交叉処理において、各組を構成する２個の画質情報ＧUにおいて、互いに対応する部分を交換する。具体的には、制御部１のＣＰＵは、一の画質情報ＧUが有するデータ要素ｄU[x][y]と、他の画質情報ＧUが有する複数のデータ要素ｄU[1][1]〜ｄU[X][Y]のうち、変数ｘ及びｙが一致するデータ要素ｄU[x][y]と、を交換可能である。また、２個の画質情報ＧUにおいて、交換される部分は、例えばランダムに決定される。
例えば、図１２及び図１３では、制御部１のＣＰＵが、画質情報ＧU3のデータ要素ｄU3[x][4]〜ｄU3[x][6]と、画質情報ＧU4のデータ要素ｄU4[x][4]〜ｄU4[x][6]と、を交換する場合を例示している。この場合、画質情報ＧU3のデータ要素ｄU3[x][4]〜ｄU3[x][6]が、画質情報ＧV4のデータ要素ｄV4[x][4]〜ｄv4[x][6]となり、画質情報ＧU4のデータ要素ｄU4[x][4]〜ｄU4[x][6]が、画質情報ＧV3のデータ要素ｄV3[x][4]〜ｄv3[x][6]となる。
【００６９】
図９に示すように、制御部１のＣＰＵは、ステップＳ１６において抽出された画質情報群ＺVに含まれるＭ個の画質情報ＧV1〜ＧVMのうち、一部または全部の画質情報ＧVが有するデータ要素ｄV[x][y]の値を変更することで、Ｍ個の画質情報ＧW1〜ＧWM（画質情報群ＺW）を生成する突然変異処理を実行する（Ｓ１７）。
【００７０】
図１４は、ステップＳ１７における突然変異処理を説明するための説明図である。
制御部１のＣＰＵは、突然変異処理において、まず、Ｍ個の画質情報ＧV1〜ＧVMの中から、１または複数の画質情報ＧVを、確率的に選択する。図１４では、画質情報ＧV2及びＧV4が選択される場合を例示している。
次に、制御部１のＣＰＵは、突然変異処理において、選択した画質情報ＧVmの有するデータ要素ｄVm[1][1]〜ｄVm[X][Y]のうち、例えば、ランダムに選択された１つのデータ要素ｄVm[x][y]の値を変更することで、画質情報ＧWmを生成する。図１４では、制御部１のＣＰＵが、画質情報ＧV2のデータ要素ｄV2[1][6]の値を「１」から「０」に変更して、データ要素ｄW2[1][6]とすることで、画質情報ＧW2を生成し、画質情報ＧV4のデータ要素ｄV4[3][4]の値を「１」から「０」に変更して、データ要素ｄW4[3][4]とすることで、画質情報ＧW4を生成する場合を例示している。
【００７１】
図９に示すように、制御部１のＣＰＵは、ステップＳ１７で生成した画質情報群ＺWに含まれる画質情報ＧW1〜ＧWMの中から、左画質情報ＱL(n+1)及び右画質情報ＱR(n+1)として採用する画質情報ＧWを決定する（Ｓ１８）。
具体的には、制御部１のＣＰＵは、ステップＳ１８において、まず、選択画質情報ＧCと、画質情報群ＺWに含まれる画質情報ＧW1〜ＧWMの各々との類似度ＦW1〜ＦWMを算出する。次に、制御部１のＣＰＵは、選択画質情報ＧCとの類似度ＦWの最も高い画質情報ＧWを、左画質情報ＱL(n+1)として採用し、選択画質情報ＧCとの類似度ＦWが所定の値に最も近い画質情報ＧWを、右画質情報ＱR(n+1)として採用する。図１４において、例えば、所定の値が「０．５」である場合、制御部１のＣＰＵは、左画質情報ＱL(n+1)として、類似度ＦWが最も高い「１．０」である画質情報ＧW1を採用し、右画質情報ＱR(n+1)として、類似度ＦWが「０．５」に最も近い画質情報ＧW4を採用する。
【００７２】
図９に示すように、制御部１のＣＰＵは、変数ｎに１を加算して、処理をステップＳ１２に進める（Ｓ１９）。そして、制御部１のＣＰＵは、処理をステップＳ１２に進めた後、ステップＳ１８で採用した左画質情報ＱL及び右画質情報ＱRに基づいて画像情報Ｊを生成する。
なお、制御部１のＣＰＵは、ステップＳ１９において、Ｍ個の画質情報ＧW1〜ＧWMを、Ｋ個の画質情報Ｇ1〜ＧKの一部として、記憶部１０に記憶させる。また、制御部１のＣＰＵは、ステップＳ１９において、（Ｋ−Ｍ）個の画質情報Ｇを生成し、生成した（Ｋ−Ｍ）個の画質情報Ｇを、記憶部１０に記憶させる。このため、処理が、ステップＳ１９の後にステップＳ１２に進んだ場合に、記憶部１０には、Ｋ個の画質情報Ｇ1〜ＧK（画質情報群Ｚ）が記憶されていることになる。
【００７３】
図９に示すように、制御部１のＣＰＵは、ステップＳ１３の判定結果が否定である場合、指定データＳDに基づいて、記憶部１０に記憶されている画質情報群Ｚに含まれる画質情報Ｇ1〜ＧKの中から、利用者が指定した指定画像ＩmgD(n)の画質を示す画質情報Ｇkを、指定画質情報ＱDとして特定し、当該指定画質情報ＱDの画質を、画像表示モードにおける画像Ｉmgの画質として決定する（Ｓ２０）。
【００７４】
このように、制御部１のＣＰＵは、ステップＳ１２を実行する場合に、表示制御部５として機能し、ステップＳ１４〜Ｓ１８の少なくとも一つを実行する場合に、画質情報更新部３として機能し、ステップＳ２０を実行する場合に、画質決定部４として機能することになる。また、制御部１のＣＰＵは、ステップＳ１４を実行する場合に、類似度算出部６として機能し、ステップＳ１５〜Ｓ１８の少なくとも一つを実行する場合に、画質情報生成部７として機能し、このうち、ステップＳ１５を実行する場合に、ルーレット選択部７１として機能し、ステップＳ１６を実行する場合に、交叉処理部７２として機能し、ステップＳ１７を実行する場合に、変異処理部７３として機能し、ステップＳ１８を実行する場合に、採用部７４として機能する。
【００７５】
＜６．実施形態の結論＞
以上において説明したように、本実施形態では、プロジェクター１００の利用者が、左側画像ＩmgL及び右側画像ＩmgRから一方の部分画像ＩmgPを選択することで、画像Ｉmgの画質を調整する。このため、本実施形態では、明るさ、コントラスト、色の濃さ等の、画像Ｉmgの画質を規定する複数種類の特徴量を個別に調整する場合と比較して、簡易な操作により、画像Ｉmgの画質を調整することが可能となる。
【００７６】
ところで、従来のように、利用者が、画像Ｉmgの画質を規定する複数種類の特徴量のうち、一の特徴量（例えば、明るさ）を、利用者の嗜好に適合するように調整し、その後、他の特徴量（例えば、コントラスト）を、利用者の嗜好に適合するように調整する場合、調整された一の特徴量と調整された他の特徴量との組み合わせとして規定される画質が、必ずしも利用者の嗜好に適合しないことがある。つまり、画像Ｉmgの画質を規定する複数の特徴量の各々を個別に最適化した結果と、画像Ｉmgの画質を規定する複数の特徴量を全体として最適化した結果とが、一致しない場合がある。この場合、利用者は、各特徴量を個別に調整しても、利用者の嗜好に適合した画質にたどり着くことは困難である。
これに対して、本実施形態では、プロジェクター１００の利用者は、画像Ｉmgの画質を規定する複数種類の特徴量を意識することなく、左側画像ＩmgLまたは右側画像ＩmgRの選択を繰り返すことで、画像Ｉmgの画質を調整する。このため、本実施形態では、従来と比較して、画像Ｉmgの画質を規定する複数種類の特徴量の全体の組み合わせを最適化することが容易となり、これにより、画像Ｉmgの画質を利用者の嗜好に適合させることが容易となる。
【００７７】
また、本実施形態に係るプロジェクター１００は、遺伝的アルゴリズムのうち、ＳＧＡ（Simple Genetic Algorithm）、または、これに類似した演算により、左側画像ＩmgL及び右側画像ＩmgRを更新する。このため、例えば、他の最適化演算等を利用して部分画像ＩmgPを更新する場合と比較して、処理負荷を軽くすることができ、また、局所的な最適解に陥る可能性を低くしつつ大局的な最適解に早期に収束させる可能性を高くすることが可能となる。
【００７８】
また、本実施形態に係るプロジェクター１００は、利用者による左側画像ＩmgLまたは右側画像ＩmgRの選択結果に応じて、更新後の左側画像ＩmgL及び右側画像ＩmgRを生成する。このため、例えば、左側画像ＩmgLまたは右側画像ＩmgRとして表示される可能性のある全ての部分画像ＩmgPに係る画質情報Ｑを記憶部１０に記憶している場合と比較して、記憶部１０が記憶するデータ量を低減することが可能となる。
【００７９】
＜Ｂ．変形例＞
以上の各形態は多様に変形され得る。具体的な変形の態様を以下に例示する。以下の例示から任意に選択された２以上の態様は相互に矛盾しない範囲内で適宜に併合され得る。
【００８０】
＜変形例１＞
上述した実施形態において、制御部１のＣＰＵは、選択画質情報ＱC(n)に基づいて、Ｋ個の画質情報Ｇを更新してＭ個の画質情報ＧWを生成し、当該Ｍ個の画質情報ＧWの中から、左画質情報ＱL(n+1)及び右画質情報ＱR(n+1)を採用するが、本発明はこのような態様に限定されるものではなく、制御部１のＣＰＵは、選択画質情報ＱC(n)を、左画質情報ＱL(n+1)及び右画質情報ＱR(n+1)の一方として採用してもよい。例えば、プロジェクター１００は、選択画像ＩmgC(n)を、左側画像ＩmgL(n+1)として表示してもよい。
【００８１】
＜変形例２＞
上述した実施形態及び変形例において、プロジェクター１００の利用者は、操作部１１を用いて、画像Ｉmgの画質の調整に係る操作（左側画像ＩmgL及び右側画像ＩmgRの一方を、選択または指定する操作）を行うが、本発明はこのような態様に限定されるものではなく、画像Ｉmgの画質の調整に係る操作は、他の方法により実行されてもよい。
例えば、画像Ｉmgの画質の調整に係る操作は、外部機器２００において実行されてもよい。この場合、例えば、プロジェクター１００の利用者は、外部機器２００が有するマウスやタッチパネル等を用いて、外部機器２００が有する表示画面に表示された画像Ｉmgに含まれる選択ボタンを押下する等して、画像Ｉmgの画質の調整に係る操作を実行してもよい。この場合、外部機器２００は、「選択部」として機能することになる。
また、例えば、画像Ｉmgの画質の調整に係る操作は、画像Ｉmgが投射される投射面３００上の位置を指示する指示体により実行されてもよい。この場合、プロジェクター１００は、指示体が投射面３００に接触した場合に、当該指示体と投射面３００との接触位置を特定する位置特定部を備えてもよい。そして、プロジェクター１００の利用者が、投射面３００に投射された画像Ｉmgに含まれる選択ボタンに指示体を接触させる等、画像Ｉmgの画質の調整に係る操作を実行した場合、プロジェクター１００は、位置特定部による指示体の位置の特定結果に基づいて、当該操作内容に係る情報を取得することとしてもよい。この場合、指示体、投射面３００、及び、位置特定部は、「選択部」として機能することになる。
【００８２】
＜変形例３＞
上述した実施形態及び変形例において、表示データＤatは、外部機器２００から供給されるが、本発明はこのような態様に限定されるものではなく、表示データＤatは、プロジェクター１００の記憶部１０に記憶されていてもよい。
【００８３】
＜変形例４＞
上述した実施形態及び変形例では、表示装置として、画像Ｉmgを投射面３００に投射する画像投射部１２を具備するプロジェクター１００を例示したが、本発明はこのような態様に限定されるものではなく、表示装置は、画像Ｉmgを表示可能であれば、どのようなものであってもよい。例えば、表示装置としては、画像Ｉmgを表示可能な表示画面を備える、パーソナルコンピューター、テレビ、ヘッドマウントディスプレイ等の電子機器であってもよいし、画像Ｉmgを表示可能なタッチパネルを備える、スマートフォン等の電子機器であってもよい。
また、上述した実施形態及び変形例では、表示部として、画像Ｉmgを投射面３００に投射する画像投射部１２を例示したが、本発明はこのような態様に限定されるものではなく、表示部は、画像Ｉmgを表示可能な液晶表示パネル等の表示画面や、画像Ｉmgを表示可能なタッチパネル等であってもよい。
【符号の説明】
【００８４】
１…制御部、２…画質制御部、３…画質情報更新部、４…画質決定部、５…表示制御部、６…類似度算出部、７…画質情報生成部、１０…記憶部、１１…操作部、１２…画像投射部、７１…ルーレット選択部、７２…交叉処理部、７３…変異処理部、７４…採用部、１００…プロジェクター、２００…外部機器、３００…投射面、ＳYS…表示システム。
【図１】
2018010180.tif 000003
【図２】
2018010180.tif 000004
【図３】
2018010180.tif 000005
【図４】
2018010180.tif 000006
【図５】
2018010180.tif 000007
【図６】
2018010180.tif 000008
【図７】
2018010180.tif 000009
【図８】
2018010180.tif 000010
【図９】
2018010180.tif 000011
【図１０】
2018010180.tif 000012
【図１１】
2018010180.tif 000013
【図１２】
2018010180.tif 000014
【図１３】
2018010180.tif 000015
【図１４】
2018010180.tif 000016